(57)【要約】【課題】エラーの解除方法を案内するアニメーションや音声を所望の時点から再生できる画像読取記録装置を提供する。【解決手段】エラーを検知する検知手段と、エラーの種類に複数の解除手順を対応付けて記憶する解除手順データベースと、複数の案内画像及びフレームレートを記憶する記憶手段と、解除手順データベースを検索し、検知されたエラーの種類に対応する複数の解除手順を抽出する抽出手段と、抽出された複数の解除手順３１を一覧表示する表示手段と、一覧表示された複数の解除手順３１の中から解除手順３１を選択する選択手段と、選択された解除手順３１及び記憶されたフレームレートに基づいて、記憶された複数の案内画像３２を連続的に表示するアニメーション表示手段と、を備えた。【選択図】図４
2008037040.tif 000002
【特許請求の範囲】
【請求項１】
エラーを検知する検知手段と、
エラーの種類に複数の解除手順を対応付けて記憶する解除手順データベースと、
複数の案内画像及びフレームレートを記憶する記憶手段と、
前記解除手順データベースを検索し、検知されたエラーの種類に対応する複数の解除手順を抽出する抽出手段と、
抽出された複数の解除手順を一覧表示する表示手段と、
一覧表示された複数の解除手順の中から解除手順を選択する選択手段と、
選択された解除手順及び記憶されたフレームレートに基づいて、記憶された複数の案内画像を連続的に表示するアニメーション表示手段と、
を備えたことを特徴とする画像読取記録装置。
【請求項２】
エラーを検知する検知手段と、
エラーの種類に複数の解除手順を対応付けて記憶する解除手順データベースと、
複数の案内音声を記憶する記憶手段と、
前記解除手順データベースを検索し、検知されたエラーの種類に対応する複数の解除手順を抽出する抽出手段と、
抽出された複数の解除手順を一覧表示する表示手段と、
一覧表示された複数の解除手順の中から解除手順を選択する選択手段と、
選択された解除手順に基づいて、記憶された案内音声を出力する出力手段と、
を備えたことを特徴とする画像読取記録装置。
【請求項３】
エラーを検知する検知手段と、
エラーの種類に複数の解除手順を対応付けて記憶する解除手順データベースと、
複数の案内画像、フレームレート、及び複数の案内音声を記憶する記憶手段と、
前記解除手順データベースを検索し、検知されたエラーの種類に対応する複数の解除手順を抽出する抽出手段と、
抽出された複数の解除手順を一覧表示する表示手段と、
一覧表示された複数の解除手順の中から解除手順を選択する選択手段と、
選択された解除手順及び記憶されたフレームレートに基づいて、記憶された複数の案内画像を連続的に表示するアニメーション表示手段と、
選択された解除手順に基づいて、記憶された案内音声を出力する出力手段と、
を備えたことを特徴とする画像読取記録装置。
【発明の詳細な説明】
【技術分野】
【０００１】
本発明は、エラーの解除方法をアニメーションや音声で案内する画像読取記録装置に関するものである。
【背景技術】
【０００２】
従来のこの種の技術としては、紙詰まり等のエラーが発生した場合に、そのエラーの解除方法をアニメーション又は音声で案内するプリンタ等が知られている（例えば、特許文献１参照。）。
【特許文献１】特開２００３−２３７１９５号公報
【発明の開示】
【発明が解決しようとする課題】
【０００３】
しかし、上記のようなプリンタにおいては、アニメーションを見逃したり音声を聞き逃したりしたためにアニメーション又は音声を再び再生する場合、そのアニメーション又は音声を最初から再生し直す必要があるので、非常に煩わしいという問題点がある。
【０００４】
本発明は、以上のような問題点に鑑みてなされたものであり、エラーの解除方法を案内するアニメーションや音声を所望の時点から再生できる画像読取記録装置を提供することを目的とする。
【課題を解決するための手段】
【０００５】
上記目的を達成するための請求項１の発明は、エラーを検知する検知手段と、エラーの種類に複数の解除手順を対応付けて記憶する解除手順データベースと、複数の案内画像及びフレームレートを記憶する記憶手段と、前記解除手順データベースを検索し、検知されたエラーの種類に対応する複数の解除手順を抽出する抽出手段と、抽出された複数の解除手順を一覧表示する表示手段と、一覧表示された複数の解除手順の中から解除手順を選択する選択手段と、選択された解除手順及び記憶されたフレームレートに基づいて、記憶された複数の案内画像を連続的に表示するアニメーション表示手段と、を備えたものである。
【０００６】
請求項２の発明は、エラーを検知する検知手段と、エラーの種類に複数の解除手順を対応付けて記憶する解除手順データベースと、複数の案内音声を記憶する記憶手段と、前記解除手順データベースを検索し、検知されたエラーの種類に対応する複数の解除手順を抽出する抽出手段と、抽出された複数の解除手順を一覧表示する表示手段と、一覧表示された複数の解除手順の中から解除手順を選択する選択手段と、選択された解除手順に基づいて、記憶された案内音声を出力する出力手段と、を備えたものである。
【０００７】
請求項３の発明は、エラーを検知する検知手段と、エラーの種類に複数の解除手順を対応付けて記憶する解除手順データベースと、複数の案内画像、フレームレート、及び複数の案内音声を記憶する記憶手段と、前記解除手順データベースを検索し、検知されたエラーの種類に対応する複数の解除手順を抽出する抽出手段と、抽出された複数の解除手順を一覧表示する表示手段と、一覧表示された複数の解除手順の中から解除手順を選択する選択手段と、選択された解除手順及び記憶されたフレームレートに基づいて、記憶された複数の案内画像を連続的に表示するアニメーション表示手段と、選択された解除手順に基づいて、記憶された案内音声を出力する出力手段と、を備えたものである。
【発明の効果】
【０００８】
請求項１の発明によれば、所望の解除手順を選択できるので、エラーの解除方法を案内するアニメーションを所望の時点から再生することができる。
【０００９】
請求項２の発明によれば、所望の解除手順を選択できるので、エラーの解除方法を案内する音声を所望の時点から再生することができる。
【００１０】
請求項３の発明によれば、所望の解除手順を選択できるので、エラーの解除方法を案内するアニメーション及び音声を所望の時点から再生することができる。
【発明を実施するための最良の形態】
【００１１】
以下、本発明の実施形態を図面に基づいて説明する。
本実施形態に係る画像読取記録装置１は、図１に示すように、主な構成要素として、制御部２、フラッシュメモリ３、ＲＡＭ（random access memory、随時書き込み読み出しメモリ）４、画像メモリ５、コーデック（ＣＯＤＥＣ）６、モデム７、ＮＣＵ（network control unit、回線網制御装置）８、検知部９、表示部１０、操作部１１、読取部１２、記録部１３、音声出力部１４、計時部１５、及びＬＡＮ（local area network、構内情報通信網）インターフェース〔ＬＡＮ Ｉ／Ｆ〕１６を備えたものであり、各構成要素はバス１７を介して互いに通信可能に接続されている。
【００１２】
フラッシュメモリ３は、各構成要素の動作を制御するための制御プログラムの他、図２のような解除手順データベース、複数の案内画像、フレームレート、及び複数の案内音声等を記憶している。記憶手段は、フラッシュメモリ３の他、ＨＤＤ（ハードディスクドライブ）、ＲＯＭ（read only memory、読み出し専用メモリ）等であってもよい。
【００１３】
解除手順データベースは、図２に示すように、エラーの種類に複数の解除手順を対応付けて記憶している。エラーの種類としては、原稿詰まり、記録用紙詰まり、トナー切れ、記録用紙切れ等が挙げられる。
【００１４】
制御部２は、ＣＰＵ（central processing unit、中央処理装置）等で構成されており、図１に示すフラッシュメモリ３上の制御プログラム等に従って各構成要素の動作を制御する。ＲＡＭ４は、画像読取記録装置１に関する各種の情報を一時的に記憶する。
【００１５】
検知部９は、各構成要素に発生するエラーを検知する。音声出力部１４は、フラッシュメモリ３上の案内音声を出力する。計時部１５は、案内画像の表示時間等を計測する。
【００１６】
読取部１２は、原稿の画像を画像データとして読み取る。画像メモリ５は、読み取られた画像データを一時的に記憶する。記録部１３は、記憶された画像データ等を電子写真方式等により記録用紙に記録（印刷）する。このように、画像読取記録装置１は、原稿の画像を読み取る読取手段、読み取られた画像を記憶する記憶手段、及び記憶された画像を記録用紙に記録する記録手段も備えている。
【００１７】
表示部１０は、操作部１１等に併設されたＬＣＤ（liquid crystal display、液晶ディスプレイ）等で構成されており、各種の情報を表示する。操作部１１は、各種の操作をするための操作キー等を備えている。画像読取記録装置１に対するユーザによる各種の操作は、この操作部１１を通じて行われる。なお、表示部１０をタッチパネルとしておき、このタッチパネルとしての表示部１０が操作部１１としても機能するように構成してもよい。
【００１８】
コーデック６は、読み取られた画像データを送信等のためにＭＨ（modified huffman）方式、ＭＲ（modified read）方式、ＭＭＲ（modified modified read）方式等により符号化したり、受信した画像データを復号化したりする。また、コーデック６は、符号化されている案内音声を復号化する。
【００１９】
モデム７は、ＩＴＵ−Ｔ（国際電気通信連合−電気通信標準化部門）の勧告Ｖ．３４規格等に従った送信データの変調及び受信データの復調を行う。ＮＣＵ８は、ＰＳＴＮ（public switched telephone network、公衆電話交換網）２１に接続されており、電話回線を制御して電話をかけたり切ったりする。ＬＡＮインターフェース１６は、ＬＡＮ２２に接続されている。ＬＡＮインターフェース１６及びＬＡＮ２２は、インターネット２３に接続されている。
【００２０】
上記のように構成された画像読取記録装置１は、コピー機の他、ファクス通信機、インターネットファクス通信機、ネットワークプリンタ、ネットワークスキャナ等として機能する複合機である。なお、画像読取記録装置１は、複合機でなくてもよく、少なくともコピー機として機能するものであればよい。
【００２１】
次に、アニメーション表示処理の一例を図３に示すフローチャートに基づいて説明する。なお、この処理は、フラッシュメモリ３上の制御プログラム等に基づいて制御部２が発行する命令に従って行われる。
【００２２】
この処理において、検知部９によりエラーが検知されれば（ステップＳ１）、解除手順データベースが検索され、検知されたエラーの種類に対応する複数の解除手順が抽出される（ステップＳ２）。図４に示すように、抽出された複数の解除手順３１は、表示部１０により一覧表示される（ステップＳ３）。一方、エラーが検知されていない場合は（ステップＳ１でＮＯ）、ステップＳ１に戻る。
【００２３】
なお、図４に示すように、各解除手順３１と共に、各解除手順３１に基づいてフラッシュメモリ３上の代表画像３２又はフラッシュメモリ３上の適宜の案内画像が表示部１０により表示されるようにしておけば、各解除手順３１の内容をユーザが把握し易いという利点がある。
【００２４】
次いで、操作部１１としても機能する表示部１０又は操作部１１により所望の解除手順３１が選択されれば（ステップＳ４でＹＥＳ）、選択された解除手順３１及びフラッシュメモリ３上のフレームレートに基づいてフラッシュメモリ３上の複数の案内画像３３が表示部１０により連続的に表示（アニメーション表示）され（ステップＳ５）、処理が終了する。一方、所望の解除手順３１が選択されていない場合は（ステップＳ４でＮＯ）、ステップＳ４に戻る。
【００２５】
なお、アニメーション表示をした解除手順３１が最後の解除手順３１でない場合は、次の解除手順３１及びフラッシュメモリ３上のフレームレートに基づいて、フラッシュメモリ３上の複数の案内画像３３を連続的に表示する処理を繰り返すようにしてもよい。
【００２６】
上記のように構成された画像読取記録装置１によれば、所望の解除手順３１を選択できるので、エラーの解除方法を案内するアニメーションを所望の時点から再生できるという利点がある。
【００２７】
次に、音声出力処理の一例を図５に示すフローチャートに基づいて説明する。なお、この処理は、フラッシュメモリ３上の制御プログラム等に基づいて制御部２が発行する命令に従って行われる。
【００２８】
この処理において、検知部９によりエラーが検知されれば（ステップＳ１１）、解除手順データベースが検索され、検知されたエラーの種類に対応する複数の解除手順が抽出される（ステップＳ１２）。図示しないが、抽出された複数の解除手順は、既述と同様にして表示部１０により一覧表示される（ステップＳ１３）。一方、エラーが検知されていない場合は（ステップＳ１１でＮＯ）、ステップＳ１１に戻る。
【００２９】
次いで、操作部１１としても機能する表示部１０又は操作部１１により所望の解除手順が選択され（ステップＳ１４でＹＥＳ）、選択された解除手順に基づいてフラッシュメモリ３上の符号化されている案内音声がコーデック６により復号化され、復号化された案内音声が音声出力部１４により出力されれば（ステップＳ１５）、処理が終了する。一方、所望の解除手順が選択されていない場合は（ステップＳ１４でＮＯ）、ステップＳ１４に戻る。
【００３０】
なお、案内音声が圧縮及び符号化されている場合は、コーデック６により伸張及び復号化されるようにしておけばよい。案内音声を出力した解除手順が最後の解除手順でない場合は、次の解除手順に基づいてフラッシュメモリ３上の案内音声を出力する処理を繰り返すようにしてもよい。
【００３１】
上記のように構成された画像読取記録装置１によれば、所望の解除手順を選択できるので、エラーの解除方法を案内する音声を所望の時点から再生できるという利点がある。
【００３２】
次に、アニメーション表示・音声出力処理の一例を図６に示すフローチャートに基づいて説明する。なお、この処理は、フラッシュメモリ３上の制御プログラム等に基づいて制御部２が発行する命令に従って行われる。
【００３３】
この処理において、検知部９によりエラーが検知されれば（ステップＳ２１）、解除手順データベースが検索され、検知されたエラーの種類に対応する複数の解除手順が抽出される（ステップＳ２２）。図４に示すように、抽出された複数の解除手順３１は、表示部１０により一覧表示される（ステップＳ２３）。一方、エラーが検知されていない場合は（ステップＳ２１でＮＯ）、ステップＳ２１に戻る。
【００３４】
次いで、操作部１１としても機能する表示部１０又は操作部１１により所望の解除手順３１が選択されれば（ステップＳ２４でＹＥＳ）、選択された解除手順３１及びフラッシュメモリ３上のフレームレートに基づいてフラッシュメモリ３上の複数の案内画像３３が表示部１０により連続的に表示（アニメーション表示）されると共に、選択された解除手順３１に基づいてフラッシュメモリ３上の案内音声が既述と同様にして音声出力部１４により出力され、処理が終了する。一方、所望の解除手順３１が選択されていない場合は（ステップＳ２４でＮＯ）、ステップＳ２４に戻る。
【００３５】
なお、アニメーション表示及び音声出力をした解除手順３１が最後の解除手順３１でない場合は、次の解除手順３１及びフラッシュメモリ３上のフレームレートに基づいてフラッシュメモリ３上の複数の案内画像３３を連続的に表示すると共に、次の解除手順３１に基づいてフラッシュメモリ３上の案内音声を出力する処理を繰り返すようにしてもよい。
【００３６】
上記のように構成された画像読取記録装置１によれば、所望の解除手順３１を選択できるので、エラーの解除方法を案内するアニメーション及び音声を所望の時点から再生できるという利点がある。
【産業上の利用可能性】
【００３７】
以上のように、本発明に係る画像読取記録装置は、エラーの解除方法を案内するアニメーションや音声を所望の時点から再生する用途に適している。
【図面の簡単な説明】
【００３８】
【図１】実施形態に係る画像読取記録装置の構成例を示すブロック図。
【図２】解除手順データベースの構成例を示すデータテーブル。
【図３】アニメーション表示処理の一例を示すフローチャート。
【図４】解除手順を選択してアニメーション表示をする様子を示す説明図。
【図５】音声出力処理の一例を示すフローチャート。
【図６】アニメーション表示・音声出力処理の一例を示すフローチャート。
【符号の説明】
【００３９】
１  画像読取記録装置
２  制御部
３  フラッシュメモリ
４  ＲＡＭ
５  画像メモリ
６  コーデック
９  検知部
１０  表示部
１１  操作部
１２  読取部
１３  記録部
１４  音声出力部
１５  計時部
３１  解除手順
３３  案内画像
【図１】
2008037040.tif 000003
【図２】
2008037040.tif 000004
【図３】
2008037040.tif 000005
【図４】
2008037040.tif 000006
【図５】
2008037040.tif 000007
【図６】
2008037040.tif 000008